(57)【要約】【課題】開時に蓋体が後方への風の流れを妨げないようにすることができるようにする。【解決手段】エアコン吹出口３ｂの直後で且つエアコン吹出口３ｂの下部に、蓋体１７を備えた収納部９を設け、蓋体１７を左右両開き構造とし、開時に蓋体１７を収納部９の両側部内に収納可能としている。【選択図】        図１
2004182095.tif 000002
【特許請求の範囲】
【請求項１】
空気吹出口の直後で且つ空気吹出口の下部に、蓋体を備えた収納部を設け、
該蓋体を左右両開き構造とし、開時に前記蓋体を収納部の両側部内に収納可能としたことを特徴とする車両用収納部構造。
【請求項２】
前記蓋体を後方へ向けて上り勾配に傾斜配置したことを特徴とする請求項１記載の車両用収納部構造。
【発明の詳細な説明】
【０００１】
【発明の属する技術分野】
この発明は、車両用収納部構造に関するものである。
【０００２】
【従来の技術】
自動車などの車両では、車室内にエアコン等で温度調整された空気が吹出す空気吹出口が設けられている（例えば、特許文献１参照）。
【特許文献１】
特開平８−２４４４４４号公報
【０００３】
【発明が解決しようとする課題】
しかしながら、上記文献に記載された車両用収納部構造では、エアコン吹出口の直後で且つエアコン吹出口の下部に、蓋体を備えた収納部を設けた場合、開時に蓋体が後方への風の流れを妨げるという問題があった。
【０００４】
そこで、本発明の目的は、上記の問題点を解消し、開時に蓋体が後方への風の流れを妨げないようにすることのできる車両用収納部構造を提供することにある。
【０００５】
【課題を解決するための手段】
上記課題を解決するために、請求項１に記載された発明では、空気吹出口の直後で且つ空気吹出口の下部に、蓋体を備えた収納部を設け、該蓋体を左右両開き構造とし、開時に前記蓋体を収納部の両側部内に収納可能とした車両用収納部構造を特徴としている。
【０００６】
このように構成された請求項１にかかる発明によれば、開時には左右両開きした蓋体が収納部の両側部内に収納されることにより、後方への風の流れを妨げないように作用する。また、蓋体を左右両開きとすることにより、蓋体の収納軌跡が小さくなり、その分、収納部を可能な限り大きく深く前後に長く設定することができる。
【０００７】
請求項２に記載された発明では、前記蓋体を後方へ向けて上り勾配に傾斜配置した請求項１記載の車両用収納部構造を特徴としている。
【０００８】
このように構成された請求項２にかかる発明によれば、閉時には傾斜した蓋体がエアコン吹出口からの風を上方へ案内することができる。
【０００９】
【発明の実施の形態】
以下、本発明を具体化した実施の形態について、図示例と共に説明する。
【００１０】
図１〜図４は、この発明の実施の形態を示すものである。
【００１１】
まず、構成を説明すると、自動車などの車両における図示しないフロアパネルに、図１に示すようなコンソール２を取付ける。
【００１２】
この実施の形態のものでは、コンソール２は、前席から後席へかけて延設される長尺の物とされている。この長尺のコンソール２は、前席に略対応する前側コンソール３と、図２〜図４に示すような後席に略対応する後側コンソール４とに分割されている。なお、前側コンソール３および後側コンソール４は、一般に樹脂成形品で構成されている。また、前側コンソール３および後側コンソール４は共に、その後部にコンソールボックス３ａ，４ａを備えている。また、前側コンソール３のコンソールボックス３ａの背面には、エアコン吹出口３ｂが設けられている。
【００１３】
前側コンソール３は、フロアパネルに対し、前側を基準として取付けられる。即ち、前側コンソール３の前部はフロアパネルの前側に設けられた図示しない取付基準点に固定される。そして、前側コンソール３の後部はフロアパネルの対応する位置に設けられた図示しない取付点に対し（車両）前後方向５へ延びる図示しない長孔を介して取付誤差吸収可能に固定される。
【００１４】
また、後側コンソール４は、前側コンソール３の後部を基準として取付けられる。即ち、後側コンソール４の前部は前側コンソール３の後部に設けられた図示しない取付基準点に固定される。そして、後側コンソール４の後部はフロアパネルの対応する位置に設けられた図示しない取付点に対し前後方向５へ延びる長孔６（図２参照）および図示しないスペーサを介して前後方向５へスライド可能に取付けられる。
【００１５】
ここで、この後側コンソール４は、コンソール本体７におけるコンソールボックス４ａの前側に収納部９を有している。
【００１６】
ここで、上記収納部９は、図４に示すように、収納ケース１１と、蓋体支持部１５と、蓋体収納部１６とを備えている。蓋体支持部１５は、収納ケース１１の上部に開閉可能に配設される蓋体１７を取付支持するものである。蓋体１７は、車幅方向１８（左右方向）に２枚設けられている。この２枚の蓋体１７は観音開き（左右両開き）されるようになっている。また、蓋体収納部１６は、蓋体１７を開時に収納ケース１１の側面に納るようにするものである。蓋体支持部１５および蓋体収納部１６はそれぞれ枠状をしており、蓋体収納部１６の内部に蓋体支持部１５を上方から挿入し、その後、蓋体収納部１６の上端部にコンソール本体７の収納部９を取付ける開口部と収納ケース１１上端との間隙を埋める略矩形枠上のフィニッシャーを取付け、これらをコンソール本体７に下方から取付けた後、コンソール本体７の上方から蓋体支持部１５の内部に収納ケース１１を挿入することにより、収納部９が組み立てられるように構成されている。なお、収納ケース１１に対しては、内部に着脱可能なカップホルダー１９やスペーサ２０が用意されている。
【００１７】
後側コンソール４に対する収納部９の取付後の状態においては、蓋体１７は、前側コンソール３背面のエアコン吹出口３ｂの直後で且つエアコン吹出口３ｂの下部に位置される。蓋体１７は後方へ向けて上り勾配（角度３０）に傾斜配置される。
次に、この実施の形態の作用について説明する。
【００１８】
フロアパネル１に対し、前側コンソール３を、前側を基準として取付ける。即ち、前側コンソール３の前部をフロアパネル１の前側に設けられた図示しない取付基準点に固定する。そして、前側コンソール３の後部をフロアパネル１の対応する位置に設けられた図示しない取付点に対し（車両）前後方向５へ延びる図示しない長孔を介して取付誤差吸収可能に固定する。
【００１９】
次に、後側コンソール４に収納部９の一部を取付ける。即ち、図４に示すように、蓋体収納部１６の内部に蓋体支持部１５を上方から挿入し、また、蓋体収納部１６の上端とフィニッシャー２１を取付け、これらをコンソール本体７に下方から取付ける。
【００２０】
この後側コンソール４を、前側コンソール３の後部を基準としてフロアパネル１に取付ける。即ち、後側コンソール４の前部を前側コンソール３の後部に設けられた図示しない取付基準点に固定する。そして、後側コンソール４の後部をフロアパネル１の対応する位置に設けられた図示しない取付点に対し前後方向５へ延びる長孔６（図２参照）および図示しないスペーサを介して前後方向５へスライド可能に取付ける。
【００２１】
最後に、コンソール本体７の上方から蓋体支持部１５の内部に収納ケース１１を挿入することにより、収納部９を組み立てる。なお、収納ケース１１に対し、必要に応じて、内部にカップホルダー１９やスペーサ２０を取付ける。
【００２２】
以上により、前席から後席へかけて延びる長尺のコンソール２が完成する。
【００２３】
この実施の形態によれば、開時には左右両開きした蓋体１７が収納部９の両側部内に収納されることにより、前側コンソール３背面のエアコン吹出口３ｂからの後方への風の流れを妨げないように作用する。また、蓋体１７を左右両開きとすることにより、蓋体１７の収納軌跡が小さくなり、その分、収納部９を可能な限り大きく深く前後に長く設定することができる。
【００２４】
そして、閉時には傾斜した蓋体１７が前側コンソール３背面のエアコン吹出口３ｂからの風を上方へ案内することができる。
【００２５】
よって、後席の乗員に対する快適性を損ねずに後側コンソール４を設けることができる。
【００２６】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００２７】
例えば、後側コンソール４における収納部９の蓋体１７とエアコン吹出口３ｂとに限らず、前側コンソール３における収納部９の蓋体１７とエアコン吹出口３ｂとに対して適用しても良い。
【００２８】
【発明の効果】
以上説明してきたように、請求項１の発明によれば、開時には左右両開きした蓋体が収納部の両側部内に収納されることにより、後方への風の流れを妨げないように作用する。また、蓋体を左右両開きとすることにより、蓋体の収納軌跡が小さくなり、その分、収納部を可能な限り大きく深く前後に長く設定することができる。
【００２９】
請求項２の発明によれば、閉時には傾斜した蓋体がエアコン吹出口からの風を上方へ案内することができる、という実用上有益な効果を発揮し得る。
【図面の簡単な説明】
【図１】本発明の実施の形態の斜視図である。
【図２】図１の後側コンソールの斜視図である。
【図３】図２の作動図である。
【図４】図２の分解斜視図である。
【符号の説明】
３ｂ  エアコン吹出口
９    収納部
１７  蓋体
【図１】
2004182095.tif 000003
【図２】
2004182095.tif 000004
【図３】
2004182095.tif 000005
【図４】
2004182095.tif 000006